(57)【要約】【課題】  本発明は、部品数を減らすことができ、構成が簡単で、かつ機構的に安定した動作が可能になるよう改善されたデッキプレート及びそれを有する磁気記録再生装置を提供する。【解決手段】  本発明のデッキプレート及びそれを有する磁気記録装置は、ヘッドドラム組立体を所定の角度で斜めに支えるドラムベースと少なくとも１つのポールベース組立体をガイドするガイドレールを一体に形成したシャーシを含む。【選択図】      図５
2006004609.tif 000002
【特許請求の範囲】
【請求項１】
ヘッドドラム組立体を支えるドラムベースと少なくとも１つのポールベース組立体をガイドするガイドレールを取り付けるシャーシを含む磁気記録再生装置のデッキプレートにおいて、
前記ガイドレールが前記ポールベース組立体の全移動経路をガイドし、
前記シャーシが、前記ドラムベースと前記ガイドレールを一体で形成したことを特徴とするデッキプレート。
【請求項２】
前記ドラムベースが、前記シャーシと一体で形成され、前記シャーシの上方に所定の角度にて折り曲げられたことを特徴とする請求項１に記載のデッキプレート。
【請求項３】
前記ガイドレールが、前記シャーシの平面と面一に形成されたガイド溝を含むことを特徴とする請求項１に記載のデッキプレート。
【請求項４】
前記ポールベース組立体は、磁気テープの上下への遊びを規制するためのガイドローラー、及び前記ガイドローラーが取り付けられ、中心軸が前記ガイドローラーの中心軸から前記ヘッドドラム組立体寄りに所定の距離隔てられて形成され前記ガイド溝に沿ってガイドされるガイドボスを有するポールベースと、を含むことを特徴とする請求項３に記載のデッキプレート。
【請求項５】
前記ガイドボスが前記ガイドローラーの中心軸から隔てられる前記所定の距離は、約１．２ｍｍであることを特徴とする請求項４に記載のデッキプレート。
【請求項６】
ヘッドドラム組立体を支えるドラムベースと；
少なくとも１つのポールベース組立体の全移動経路をガイドするガイドレールと；
前記ドラムベースと前記ガイドレールを取り付けるシャーシを備えるデッキプレートとを含み、
前記シャーシが、前記ドラムベースと前記ガイドレールを一体で形成したことを特徴とする磁気記録再生装置。
【請求項７】
前記ドラムベースが、前記シャーシと一体で形成され、前記シャーシの上方に所定の角度にて折り曲げられたことを特徴とする請求項６に記載の磁気記録再生装置。
【請求項８】
前記ガイドレールが、前記シャーシの平面と面一に形成されたガイド溝を含むことを特徴とする請求項６に記載の磁気記録再生装置。
【請求項９】
前記ポールベース組立体は、前記磁気テープの上下への遊びを規制するためのガイドローラーと、前記ガイドローラーが取り付けられ、中心軸が前記ガイドローラーの中心軸から前記ヘッドドラム組立体寄りに所定の距離隔てられて形成され前記ガイド溝に沿ってガイドされるガイドボスを有するポールベースとを含むことを特徴とする請求項８に記載の磁気記録再生装置。
【請求項１０】
前記ガイドボスが前記ガイドローラーの中心軸から隔てられる前記所定の距離は、約１．２ｍｍであることを特徴とする請求項９に記載の磁気記録再生装置。
【発明の詳細な説明】
【技術分野】
【０００１】
本発明は、ビデオテープレコーダ（ＶＴＲ）やカムコーダ等のような磁気記録再生装置に関し、より詳しくは、ヘッドドラムとポールベースが取り付けられるデッキプレート及びそれを有する磁気記録再生装置に関する。
【背景技術】
【０００２】
一般に、ビデオテープレコーダやカムコーダ等のような磁気記録再生装置は、磁気テープを所定の走行経路に沿って走行させることで磁気テープに音声及び画像情報等を記録／再生するデッキメカニズムを含む。
【０００３】
この種のデッキメカニズムでは、通常、所定のプログラムによる制御によりデッキメカニズムの各部が状態を変え、基本的な記録／再生（ＲＥＣ／ＰＬＡＹ）と早送り／巻き戻し（ＦＦ／ＲＥＷ）などの機能を行うことはもとより、製品によっては、オプションとして付加されるコマ送り、スロー再生、高速サーチ及びリピート再生等の機能を行う。
【０００４】
図１は、カムコーダに適用される一般のデッキメカニズム１を示す。このデッキメカニズム１は、メインシャーシ１０、メインシャーシ１０に対し動き自在に配されたサブシャーシ２０、ヘッドドラム組立体２、及び磁気テープのロード／アンロード時に磁気テープがメインシャーシ１０の内側の所定の位置に配されるように移動する複数のローラーとポールを備える第１及び第２のポールベース組立体１６、１７を含む。
【０００５】
ヘッドラム組立体２は、磁気テープを走査して情報を記録／再生する磁気ヘッドを備えたヘッドドラム１１、及びヘッドドラム１１を固定してメインシャーシ１０に対し一定の傾きをもつべく傾斜して設けるドラムベース１２を有する。
【０００６】
第１及び第２のポールベース組立体１６、１７は、それぞれ、磁気テープのロード／アンロード時にメインシャーシ１０に取り付けられたガイドレール１３の第１及び第２のガイド溝１４、１５に沿って摺動する第１及び第２のポールベース１６ａ、１７ａ、第１及び第２のポールベース１６ａ、１７ａ上に傾斜して突設された第１及び第２のスラントポール１６ｂ、１７ｂ、及び第１及び第２のスラントポール１６ｂ、１７ｂへ進入する磁気テープの上下への遊びを規制する第１及び第２のガイドローラー１６ｃ、１７ｃからなる。
【０００７】
図１及び図２Ｂに示すように、ガイドレール１３は、メインシャーシ１０から上方に向けて一定の高さにて突出し、第１及び第２のポールベース１６ａ、１７ａをガイドし且つ支えている。
【０００８】
しかし、この種のデッキメカニズム１では、図２Ａ、図２Ｂ及び図３に示すように、ヘッドドラム１をメインシャーシ１０に取り付けるドラムベース１２は、別体として作製されメインシャーシ１０にネジ１９等でネジ止められ、磁気テープのロード／アンロード時に第１及び第２のポールベース１６ａ、１７ａをガイドするガイドレール１３は、別体として作製されメインシャーシ１０とドラムベース１２にネジ１２等でネジ止められる仕組みを有する。
【０００９】
従って、従来のデッキメカニズム１では、ドラムベース１２とガイドレール１３を別の金型を使用してそれぞれ精巧に作製し、それらを単体として組み合わせるため製作コストが増大し、またネジ等でそれらをネジ止めしなければならないため、ネジ止めといった作業工数を必要とし、生産性が劣化するという不都合があった。
【００１０】
さらに、従来のデッキメカニズム１では、ガイドレール１３がメインシャーシ１０から上方に向けて一定の高さにて突設し、第１及び第２のポールベース１６ａ、１７ａをガイドし且つ支えているため、磁気テープのロード／アンロード時にガイドレール１３がテープカセットの内部または他の部品との干渉を起こし、その動作が不安定になる問題を生じさせる恐れがあった。
【発明の開示】
【発明が解決しようとする課題】
【００１１】
本発明は上記のような問題点を解決するためになされたものであって、その目的は、部品点数を低減することができると共に構成が簡単であり、機構的に安定した動作ができるように改善されたデッキプレート及びそれを有する磁気記録再生装置を提供することにある。
【課題を解決するための手段】
【００１２】
上記目的を達成するために、本発明は、ヘッドドラム組立体を支えるドラムベースと少なくとも１つのポールベース組立体をガイドするガイドレールを取り付けるシャーシを含む磁気記録再生装置のデッキプレートにおいて、ガイドレールがポールベース組立体の全移動経路をガイドし、シャーシが、ドラムベースとガイドレールを一体で形成したことを特徴とするデッキプレートを提供する。
【００１３】
好適な実施形態において、ドラムベースがシャーシと一体で形成され、シャーシの上方に所定の角度にて折り曲げられる。
【００１４】
ガイドレールが、シャーシの平面と面一に形成されたガイド溝を含むことから構成される。
【００１５】
ポールベース組立体は、磁気テープの上下への遊びを規制するためのガイドローラー、ガイドローラーが取り付けられ、中心軸が前記ガイドローラーの中心軸からヘッドドラム組立体寄りに所定の距離隔てられて形成され前記ガイド溝に沿ってガイドされるガイドボスを有するポールベースと、を含むことが好ましい。この際、ガイドボスがガイドローラーの中心軸から隔てられる所定の距離は、約１．２ｍｍであることが好ましい。
【００１６】
本発明の他の実施形態によると、本発明はヘッドドラム組立体を支えるドラムベースと；少なくとも１つのポールベース組立体の全移動経路をガイドするガイドレールと；ドラムベースとガイドレールを取り付けるシャーシを備えるデッキプレートとを含み、シャーシが、ドラムベースと前記ガイドレールを一体で形成したことを特徴とする磁気記録再生装置を提供する。
【００１７】
好適な実施形態において、ドラムベースがシャーシと一体で形成され、シャーシの上方に所定の角度にて折り曲げられる。
【００１８】
ガイドレールが、シャーシの平面と面一に形成されたガイド溝を含む。
【００１９】
ポールベース組立体は、磁気テープの上下への遊びを規制するためのガイドローラーと、ガイドローラーが取り付けられ、中心軸がガイドローラーの中心軸からヘッドドラム組立体寄りに所定の距離隔てられて形成されガイド溝に沿ってガイドされるガイドボスを有するポールベースとを含む。尚、ガイドボスがガイドローラーの中心軸から隔てられる前記所定の距離は、約１．２ｍｍであることが好ましい。
【発明の効果】
【００２０】
本発明のデッキプレート及びそれを有する磁気記録再生装置は、ドラムベースとガイドレールとをシャーシと一体に形成することによって、ドラムベースとガイドレールとを別途の金型を用いて精巧に製作する必要がないので製作コストの節減が図れる。
【００２１】
また、本発明のデッキプレート及びそれを有する磁気記録再生装置は、ドラムベースとガイドレールとをシャーシと一体に形成することによって、ドラムベースとガイドレールとをネジなどを使用しネジ止めすべき工程が不要になるので、作業工数が減少し生産性が向上される。
【００２２】
また、本発明のデッキプレート及びそれを有する磁気記録再生装置は、ポールベースが磁気テープのローディング／アンローディング時インピーダンスローラー及びヘッドドラムと干渉されないようにポールベースのガイドボスがガイドローラーの中心軸からヘッドドラム側に所定の距離隔てられ、ポールベースが磁気テープのローディング／アンローディング時にインピーダンスローラー及びヘッドドラムと干渉されることがなく重さ移動中心で支持及び移動されると同時に、ガイドレールがシャーシの平面と同一な高さに形成された溝で構成されて磁気テープのローディング／アンローディング時ガイドレールが他の部品及びカセット内部と干渉を起こさないため、機構的に安定された動作が可能になる。
【発明を実施するための最良の形態】
【００２３】
以下、添付した図に基づいて、本発明に係るデッキプレート及びそれを有する磁気記録再生装置について詳説する。
【００２４】
本発明によるデッキプレートが適用される磁気記録再生装置であるカムコーダーは、磁気テープを所定の走行経路に沿って走行させ磁気テープに音声及び映像情報などを記録／再生するデッキメカニズムを含む。
【００２５】
図４及び図５は、本発明の好適な実施形態によるデッキプレートが適用されるカムコーダーのデッキメカニズム１００を示す。
【００２６】
デッキメカニズム１００は、デッキプレート１１０と、磁気テープ（Ｔ）を走行させるための走行駆動ユニット１０５と、走行駆動ユニット１０５の駆動によってデッキプレート１１０上で走行する磁気テープ（Ｔ）をガイドするテープ走行ガイドユニット１０８と、磁気テープ（Ｔ）のローディング／アンローディング時テープ走行ガイドユニット１０８の各構成品を所定位置に移動させるローディング駆動ユニット１０６と、を含む。
【００２７】
デッキプレート１１０は、一つのシャーシから構成される。
【００２８】
シャーシ１１０は、一側中央、図面の上側中央にヘッドドラム組立体１０２を設けている。
【００２９】
ヘッドドラム組立体１０２は、磁気テープをスキャニングして情報を記録／再生する磁気ヘッドを備えたヘッドドラム１１１と、ヘッドドラム１１１をネジ１１９（図７）で固定してシャーシ１１０に一定した傾きを有するように傾斜して設けるドラムベース１１２とを有する。
【００３０】
図６及び図７に示したように、ドラムベース１１２は、シャーシ１１０と一体に形成され所定の角度折り曲げられた傾斜固定面１１２ａを備える。
【００３１】
傾斜固定面１１２ａは、プレス加工によってシャーシ１１０の一部が切開されてメインシャーシ１１０の上側に突設して成型される。
【００３２】
走行駆動ユニット１０５は、キャプスタンモータ１４０によって回転駆動されるキャプスタンシャフト１４８と、カセットテープ（ｃ）のテープリールが安着し、キャプスタンモータ１４０によって駆動される供給側及び巻かれ側リールテーブル１１５ａ，１１５ｂとを含む。キャプスタンモータ１４０は、供給側及び巻かれ側リールテーブル１１５ａ，１１５ｂを駆動させる動力を示さない動力伝達ギアトレインを通じて供給する。こうした動力伝達ギアトレインは、一般的な公知の技術なので詳細な説明は省略する。
【００３３】
ローディング駆動ユニット１０６は、シャーシ１１０に設けられたローディングモータ１４７と、ローディングモータ１４７から動力が伝達されて駆動される摺動部材駆動機構（図示せず）によって矢印（Ａ）の方向に往復スライディングするようにシャーシ１１０に設けられたメイン摺動部材１１３と、を備える。摺動部材駆動機構は、一般的な公知の技術なので詳細な説明は省略する。
【００３４】
メイン摺動部材１１３は、磁気テープ（Ｔ）のローディング／アンローディング時後述するテープ走行ガイドユニット１０８のピンチローラー組立体１３０の加圧レバー１３５の下端部とレビューポール組立体１５１のレビューアーム１５５の結合突起１５５ａとそれぞれ連動されるガイド突起１５９とガイド溝１５７とを有する。
【００３５】
テープ走行ガイドユニット１０８は、磁気テープ（Ｔ）のローディング／アンローディング時磁気テープ（Ｔ）がシャーシ１１０の内側の所定位置に配置されるように移動する複数のローラーと固定ポール部材とを備える供給リール側及び巻かれリール側ガイド装置１０８ａ，１０８ｂを含む。
【００３６】
供給リール側テープガイド装置１０８ａは、テンションポール組立体１２１と第１のポールベース組立体１１６とを備える。
【００３７】
テンションポール組立体１２１は、シャーシ１１０に回動できるように設けられたテンションアーム１２２と、テンションアーム１２２の先端に直立するように突出形成される第１のテンションポール１２３と、シャーシ１１０に固定設けられた固定ポール又はインピーダンスローラー１２４と、から構成される。
【００３８】
テンションアーム１２２は、磁気テープ（Ｔ）のローディング／アンローディング時ローディングモータ１４７から動力が伝達されるテンションアーム駆動機構（図示せず）によって図４又は図５に示した位置に回動する。テンションアーム駆動機構は、一般的な公知の技術なので詳細な説明は省略する。
【００３９】
テンションポール１２３は、磁気テープ（Ｔ）をシャーシ１１０の左側に引っ張って磁気テープ（Ｔ）に所定張力を付与する機能をし、インピーダンスローラー１２４は、テンションポール１２３を経由して走行する磁気テープ（Ｔ）の上下流動を規制する機能をする。
【００４０】
図８及び図９に示したように、第１のポールベース組立体１１６は、磁気テープ（Ｔ）のローディング／アンローディング時ローディングモータ１４７から動力が伝達されて駆動される公知のポールベース駆動機構（図示せず）によって後述するガイドレール１０７の第１のガイド溝１１４に沿ってスライディング移動される第１のポールベース１１６ａと、第１のポールベース１１６ａ上に傾斜して突出形成された第１のスラントポール１１６ｂと、第１のスラントポール１１６ｂに進入する磁気テープ（Ｔ）の上下流動を規制するための第１のガイドローラー１１６ｃと、を含む。
【００４１】
図８及び図９に示したように、第１のポールベース１１６ｃは下部に二つの第１のガイドボス１１８を形成している。
【００４２】
第１のガイドボス１１８は、ガイドレール１０７の第１のガイド溝１１４に挿入されてガイドされ、第１のガイド溝１１４から抜けないよう第１のガイド溝１１４の幅より広く拡張された第１の支持端部１１８ａを有する。
【００４３】
また、第１のガイドボス１１８は、その中心軸が第１のガイドローラー１１６ｃの中心軸からヘッドドラム組立体１０２側に所定距離（ｄ）隔てられて配される。この時、第１のガイドボス１１８が第１のガイドローラー１１６ｃの中心軸から離隔される所定距離（ｄ）は、約１．２ｍｍであることが好ましい。
【００４４】
このように第１のガイドボス１１８を第１のガイドローラー１１６ｃの中心軸から約１．２ｍｍほど離隔されるよう第１のポールベース１１６ａの下部に形成する理由は、図８に示したように第１のポールベース１１６ａを第１のスラントポール１１６ｂと第１のガイドローラー１１６ｃの重さ移動中心で支持し、また磁気テープ（Ｔ）のローディング／アンローディング時第１のポールベース１１６ｃがインピーダンスローラー１２４とヘッドドラム組立体１０２のヘッドドラム１１１との間を移動するときインピーダンスローラー１２４とヘッドドラム１１１と接触して干渉を起こさないようにするためである。
【００４５】
巻かれリール側テープガイド装置１０８ｂは、レビューポール組立体１５１と、第２のポールベース組立体１１７と、ピンチローラー組立体１３０とを含む。
【００４６】
レビューポール組立体１５１は、シャーシ１１０に回動できるように設けられたレビューアーム１５５と、レビューアーム１５５の先端に直立するように突出形成されるレビューポール１５６とを備える。
【００４７】
レビューアーム１５５は、磁気テープ（Ｔ）のローディング／アンローディング時メイン摺動部材１１３に連動されるようにメイン摺動部材１１３のガイド溝１５７と結合される結合突起１５５ａを備え、磁気テープ（Ｔ）をシャーシ１１０の右側に引っ張って磁気テープ（Ｔ）に所定張力を付与する機能をする。
【００４８】
第２のポールベース組立体１１７は、第１のポールベース組立体１１６と対称形態に配置される点のみ除外しては第１のポールベース組立体１１６と同一な構成を有する。
【００４９】
すなわち、図９に示したように、第２のポールベース組立体１１７は、磁気テープ（Ｔ）のローディング／アンローディング時後述するガイドレール１０７の第２のガイド溝１１５に沿ってスライディング移動される第２のポールベース１１７ａと、第２のポールベース１１７ａ上に傾斜しに突出形成された第２のスラントポール１１７ｂと、第２のスラントポール１１７ｂに進入する磁気テープ（Ｔ）の上下流動を規制するための第２のガイドローラー１１７ｃと、を含む。
【００５０】
第２のポールベース１１７ａは、第１のポールベース組立体１１６の第１のポールベース１１６ａと同様に、その中心軸が第２のガイドローラー１１７ｃの中心軸からヘッドドラム組立体１０２側に所定距離（ｄ）、すなわち１．２ｍｍ離隔されるように下部に突設された第２のガイドボス１１８’を有する。
【００５１】
第２のガイドボス１１８’は、ガイドレール１０７の第２のガイド溝１１５に挿入されてガイドされ、第２のガイド溝１１５から抜けないように第２のガイド溝１１５の幅より広く拡張された第２の支持端部１１８ａ’を有する。
【００５２】
ピンチローラー組立体１３０は、シャーシ１１０に回動可能に設けられるピンチローラーアーム１３１と、ピンチローラーアーム１３１の端部に回転自在に設けられるピンチローラー１３３と、ピンチローラーアーム１３１の回動軸上で回転される加圧レバー１３５と、加圧レバー１３５とピンチローラーアーム１３１とを連結する引張りスプリング１３７とを備える。
【００５３】
図６に示したように、ガイドレール１０７は、それぞれ第１及び第２のポールベース組立体１１６，１１７の第１及び第２のガイドボス１１８，１１８’を受容してポールベース組立体１１６，１１７の全体移動経路をガイドするように、第１及び第２のガイドボス１１８，１１８’と対向しにシャーシ１１０に形成された第１及び第２のガイド溝１１４，１１５とを含む。
【００５４】
第１及び第２のガイド溝１１４，１１５は、それぞれ組立時に第１及び第２のガイドボス１１８，１１８’の第１及び第２の支持端部１１８ａ，１１８ａ’を挿入するように第１及び第２の支持端部１１８ａ，１１８ａ’のサイズより広いサイズを有する組立用拡張ホール１１４ａ，１１５ｂ及び磁気テープ（Ｔ）のローディング／アンローディング時第１及び第２のガイドボス１１８，１１８’をガイドするガイドレール部１１４ｂ，１１５ｂより成る。
【００５５】
第１及び第２のガイド溝１１４，１１５は、プレス加工によって互いに対称になる形態でシャーシ１１０と一体に形成される。
【００５６】
第１及び第２のガイド溝１１４，１１５の高さ、すなわち第１及び第２のガイド溝１１４，１１５が形成されたシャーシ１１０の平面高さは、第１及び第２のポールベース１１６ａ，１１７ａが第１及び第２のガイド溝１１４，１１５に設けられるとき第１及び第２のガイドローラー１１６ｃ，１１７ｃが磁気テープ（Ｔ）の上下流動を規制できる高さに設定される。
【００５７】
このように、本発明のデッキプレートのシャーシ１１０は、ドラムベース１１２とガイドレール１０７とを一体に形成するので、製作金型及び作業工数が減って製作コストが節減されると同時に生産性が向上されるだけではなく、第１及び第２のポールベース１１６ａ，１１７ａが磁気テープ（Ｔ）のローディング／アンローディング時インピーダンスローラー１２４及びヘッドドラム１１１と干渉されることがなく重さ移動中心で支持及び移動され、ガイドレール１０７がシャーシ１１０の平面と同一な高さに形成された溝１１４，１１５から構成されて磁気テープ（Ｔ）のローディング／アンローディング時にガイドレール１０７が他の部品及びカセットの内部と干渉を起こさないため、機構的に安定された動作が可能である。
【００５８】
以上で、本発明によるデッキプレートを有するデッキメカニズム１００は、カムコーダーの場合を一例に取って説明されたが、本発明はこれに限定しなく、ビデオテープレコーダー、ディジタルオーディオテープレコーダーのようにデッキメカニズムを有する磁気記録再生装置にも適用されることができる。
【００５９】
また、本発明によるデッキプレートを有するデッキメカニズム１００は、デッキプレートが一つのシャーシから構成された場合にのみ叙述及び例示したが、図１に示した従来のデッキメカニズム１のようにメインシャーシとサブシャーシとより成った場合にも適用できることである。
【００６０】
以上のように構成された本発明のデッキプレートが適用されたカムコーダーのデッキメカニズム１００のテープローディング及びアンローディング動作を図４〜図８について詳細に説明すれば次の通りである。
【００６１】
先ずローディング動作を説明すれば、テープカセット（ｃ）が図４に点線に示したようにシャーシ１２０の供給側及び巻かれ側リールテーブル１１５ａ，１１５ｂに安着した後、ローディングモータ１４７が駆動されれば、テンションアーム１２２はテンションアーム駆動機構によって時計反対方向に回動し、これにより図５に示したようにテンションポール１２３は、インピーダンスローラー１２４側に磁気テープ（Ｔ）を押す。
【００６２】
また、第１及び第２のポールベース組立体１１６，１１７の第１及び第２のポールベース１１６ａ，１１７ａは、ローディングモータ１４７から動力が伝達されて駆動されるポールベース駆動機構によってヘッドドラム１１１側に移動し、これにより第１及び第２のガイドボス１１８，１１８’はガイドレール１０７の第１及び第２のガイド溝１１４，１１５に沿ってスライディングされ、第１及び第２のガイドローラー１１６ｃ，１１７ｃは磁気テープ（Ｔ）を引き出してヘッドドラム１１１に密着する。
【００６３】
この際、第１及び第２のガイドボス１１８，１１８’が第１及び第２のガイドローラー１１６ｃ，１１７ｃの中心軸から約１．２ｍｍ程度ヘッドドラム組立体１０２側に離隔されているため、第１及び第２のポールベース組立体１１６，１１７はインピーダンスローラー１２４及びヘッドドラム１１１と接触せず移動できるだけではなく、重さ移動中心に沿って安定的に移動する。
【００６４】
メイン摺動部材１１３は、摺動部材駆動機構によって駆動されて矢印方向（Ａ）、例えば左側に駆動され、これによりメインスライディング部材１１３のガイド突起１５９が加圧レバー１３５の下端部を左側に押し出す。その結果加圧レバー１３５が時計まわりに回転されながら引張りスプリング１３７が伸びる。この引張りスプリング１３７の引張り力によってピンチローラー１３３はキャプスタンシャフト１４８に密着される。
【００６５】
レビューアーム１５５もメイン摺動部材１１３のガイド溝１５７によって時計まわりに回動し、これによりレビューポール１５６は磁気テープ（Ｔ）をシャーシ１１０の右側に引っ張って磁気テープ（Ｔ）に所定張力を与える。
【００６６】
このように、磁気テープ（Ｔ）が図５に示した位置にローディングされた状態で、キャプスタンモータ１４０は、動力伝達ギアトレインを通じて供給側及び巻かれ側リールテーブル１１５ａ，１１５ｂを駆動して磁気テープ（Ｔ）をカセット（ｃ）のテープリールに巻くや解く記録／再生と高速の早送り／巻き戻しなどの機能を行う。
【００６７】
磁気テープ（Ｔ）のアンローディング時には前述した順序とは反対にデッキメカニズム１００が動作され、これによりテンションポール１２３、第１及び第２のガイドローラー１１６ｃ，１１７ｃ、ピンチローラー１３３、及びレビューポール１５６は図４に示した位置に復帰する。
【００６８】
以上で、本発明の特定した好適な実施形態について示し、且つ説明した。しかしながら、本発明は前述した実施形態に限定されなく、特許請求の範囲で請求する本発明の要旨と思想を外れることがなく当業者であれば誰でも多様な修正と変形実施が可能なことである。
【産業上の利用可能性】
【００６９】
本発明は、ビデオテープレコーダー、カムコーダーなどのような磁気記録再生装置に適用され得る。
【図面の簡単な説明】
【００７０】
【図１】従来のカムコーダーのデッキメカニズムの概略平面図である。
【図２Ａ】ドラムベースとガイドレールとを設けた図１に示したデッキメカニズムのメインシャーシの平面図である。
【図２Ｂ】ドラムベースとガイドレールとを設けた図１に示したデッキメカニズムのメインシャーシの側面図である。
【図３】図２Ａに示したドラムベースとガイドレールの平面図である。
【図４】本発明によるデッキプレートが適用されたカムコーダーのデッキメカニズムの概略平面図である。
【図５】本発明によるデッキプレートが適用されたカムコーダーのデッキメカニズムの概略平面図である。
【図６】図４及び図５に示したデッキプレートの平面図である。
【図７】ヘッドドラムを装着した状態を例示する図４及び図５に示したデッキプレートのドラムベースの部分断面図である。
【図８】図４及び図５に示したデッキメカニズムのテープ走行ガイドユニットの第１のポールベース組立体の部分平面図である。
【図９】図４及び図５に示したデッキメカニズムのテープ走行ガイドユニットの第１のポールベース組立体の側断面図である。
【符号の説明】
【００７１】
１，１００  デッキメカニズム
２，１０２  ヘッドドラム組立体
１０，２０，１１０  シャーシ
１１，１１１  ヘッドドラム
１２，１１２  ドラムベース
１３，１０７  ガイドレール
１６，１７，１１６，１１７  ポールベース組立体
１６ａ，１７ａ，１１６ａ，１１７ａ  ポールベース
１６ｃ，１７ｃ，１１６ｃ，１１７ｃ  ガイドローラー
１０５  走行駆動ユニット
１０６  ローディング駆動ユニット
１０８  テープ走行ガイドユニット
１１４，１１５  ガイド溝
１１８，１１８’  ガイドボス
１２１  テンションポール組立体
１３０  ピンチローラー組立体
１５１  レビューポール組立体
【図１】
2006004609.tif 000003
【図２Ａ】
2006004609.tif 000004
【図２Ｂ】
2006004609.tif 000005
【図３】
2006004609.tif 000006
【図４】
2006004609.tif 000007
【図５】
2006004609.tif 000008
【図６】
2006004609.tif 000009
【図７】
2006004609.tif 000010
【図８】
2006004609.tif 000011
【図９】
2006004609.tif 000012